(57)【特許請求の範囲】
【請求項１】
参照信号に基づいて強化物理下りリンク制御チャネル（ｅＰＤＣＣＨ）伝送に使用可能な複数のリソースエレメントを確定し、
複数のｅＰＤＣＣＨ配置に基づいて特定の端末に対するｅＰＤＣＣＨの配置を確定するように配置される処理回路を含み、
各ｅＰＤＣＣＨは、集中の方式で一つの物理リソースブロック（ＰＲＢ）ペアにマッピングされるか、又は分布の方式で一つより多いＰＲＢペアにマッピングされる複数の強化制御チャネルエレメント（ｅＣＣＥ）を含み、且つｅＰＤＣＣＨの上記配置は、上記ｅＰＤＣＣＨにおけるｅＣＣＥに関する設定を含み、
前記ｅＣＣＥに関する設定は、各ｅＣＣＥに含まれるリソースエレメントの数、ＰＲＢペアに含まれるｅＣＣＥの数、及びｅＰＤＣＣＨに含まれるｅＣＣＥの数の設定を含み、
上記処理回路は、前記ｅＣＣＥに関する設定の候補とシステム配置との予め定められた対応関係に基づいて、前記ｅＣＣＥに関する設定を複数の前記ｅＣＣＥに関する設定の候補から選択するように配置され、
前記ｅＣＣＥに関する設定は、一つのＰＲＢペアにマッピングされる複数のｅＰＤＣＣＨの間で、各々のｅＰＤＣＣＨに含まれるｅＣＣＥの数が互いに異なることを許容する、通信デバイス。
【請求項２】
上記通信デバイスは、基地局であり、及び上記通信デバイスは、ｅＰＤＣＣＨの上記配置に基づいて上記特定の端末に上記ｅＰＤＣＣＨを送信し、且つ上記ｅＣＣＥからＰＲＢペアへのマッピング方式を指示する情報を送信するように配置される送信回路をさらに含む請求項１に記載の通信デバイス。
【請求項３】
上記処理回路は、さらに、上記複数のリソースエレメントから上記参照信号により占有されたリソースエレメントを排除するように配置される請求項１又は２に記載の通信デバイス。
【請求項４】
上記処理回路は、さらに、ｅＰＤＣＣＨの上記配置を動的に確定するように配置され、且つ上記送信回路は、さらに、ｅＰＤＣＣＨの上記配置を通知するシグナリングを上記特定の端末に送信するように配置される請求項２に記載の通信デバイス。
【請求項５】
参照信号に基づいて強化物理下りリンク制御チャネル（ｅＰＤＣＣＨ）に使用する複数の候補リソースエレメントを確定し、
複数のｅＰＤＣＣＨ配置に基づいて上記候補リソースエレメント上のｅＰＤＣＣＨを復調するように配置される処理回路を含み、
各ｅＰＤＣＣＨは、集中の方式で一つの物理リソースブロック（ＰＲＢ）ペアにマッピングされるか、又は分布の方式で一つより多いＰＲＢペアにマッピングされる複数の強化制御チャネルエレメント（ｅＣＣＥ）を含み、且つｅＰＤＣＣＨの上記配置は、上記ｅＰＤＣＣＨにおけるｅＣＣＥに関する設定を含み、
前記ｅＣＣＥに関する設定は、各ｅＣＣＥに含まれるリソースエレメントの数、ＰＲＢペアに含まれるｅＣＣＥの数、及びｅＰＤＣＣＨに含まれるｅＣＣＥの数の設定を含み、
上記処理回路は、前記ｅＣＣＥに関する設定の候補とシステム配置との予め定められた対応関係に基づいて複数の前記ｅＣＣＥに関する設定の候補から選択された前記ｅＣＣＥに関する設定に応じて前記ｅＣＣＥを復調するように配置され、
前記ｅＣＣＥに関する設定は、一つのＰＲＢペアにマッピングされる複数のｅＰＤＣＣＨの間で、各々のｅＰＤＣＣＨに含まれるｅＣＣＥの数が互いに異なることを許容する、通信デバイス。
【請求項６】
上記通信デバイスは、端末であり、及び上記通信デバイスは、上記ｅＣＣＥからＰＲＢペアへのマッピング方式を指示する情報を受信し、且つ上記マッピング方式に基づいてｅＰＤＣＣＨを受信するように配置される受信回路をさらに含む請求項５に記載の通信デバイス。
【請求項７】
上記処理回路は、さらに、上記複数の候補リソースエレメントから上記参照信号により占有されたリソースエレメントを排除するように配置される請求項５又は６に記載の通信デバイス。
【請求項８】
上記受信回路は、さらに、ｅＰＤＣＣＨの上記配置を通知するシグナリングを受信するように配置される請求項６に記載の通信デバイス。
【請求項９】
通信デバイスにより実行される通信方法であって、
参照信号に基づいて強化物理下りリンク制御チャネル（ｅＰＤＣＣＨ）伝送に使用可能な複数のリソースエレメントを確定し、
複数のｅＰＤＣＣＨ配置に基づいて特定の端末に対するｅＰＤＣＣＨの配置を確定することを含み、
各ｅＰＤＣＣＨは、集中の方式で一つの物理リソースブロック（ＰＲＢ）ペアにマッピングされるか、又は分布の方式で一つより多いＰＲＢペアにマッピングされる複数の強化制御チャネルエレメント（ｅＣＣＥ）を含み、且つｅＰＤＣＣＨの上記配置は、上記ｅＰＤＣＣＨにおけるｅＣＣＥに関する設定を含み、
前記ｅＣＣＥに関する設定は、各ｅＣＣＥに含まれるリソースエレメントの数、ＰＲＢペアに含まれるｅＣＣＥの数、及びｅＰＤＣＣＨに含まれるｅＣＣＥの数の設定を含み、
上記ｅＰＤＣＣＨの配置を確定することは、さらに、前記ｅＣＣＥに関する設定の候補とシステム配置との予め定められた対応関係に基づいて、前記ｅＣＣＥに関する設定を複数の前記ｅＣＣＥに関する設定の候補から選択することを含み、
前記ｅＣＣＥに関する設定は、一つのＰＲＢペアにマッピングされる複数のｅＰＤＣＣＨの間で、各々のｅＰＤＣＣＨに含まれるｅＣＣＥの数が互いに異なることを許容する、通信方法。
【請求項１０】
上記通信方法は、ｅＰＤＣＣＨの上記配置に基づいて上記特定の端末に上記ｅＰＤＣＣＨを送信し、且つ上記ｅＣＣＥからＰＲＢペアへのマッピング方式を指示する情報を送信することをさらに含む請求項９に記載の通信方法。
【請求項１１】
複数のリソースエレメントを確定するステップは、上記複数のリソースエレメントから上記参照信号により占有されたリソースエレメントを排除することを含む請求項９又は１０に記載の通信方法。
【請求項１２】
通信デバイスにより実行される通信方法であって、
参照信号に基づいて強化物理下りリンク制御チャネル（ｅＰＤＣＣＨ）に使用する複数の候補リソースエレメントを確定し、
複数のｅＰＤＣＣＨ配置に基づいて上記候補リソースエレメント上でｅＰＤＣＣＨを復調することを含み、
各ｅＰＤＣＣＨは、集中の方式で一つの物理リソースブロック（ＰＲＢ）ペアにマッピングされるか、又は分布の方式で一つより多いＰＲＢペアにマッピングされる複数の強化制御チャネルエレメント（ｅＣＣＥ）を含み、且つｅＰＤＣＣＨの上記配置は、上記ｅＰＤＣＣＨにおけるｅＣＣＥに関する設定を含み、
前記ｅＣＣＥに関する設定は、各ｅＣＣＥに含まれるリソースエレメントの数、ＰＲＢペアに含まれるｅＣＣＥの数、及びｅＰＤＣＣＨに含まれるｅＣＣＥの数の設定を含み、
上記ｅＰＤＣＣＨを復調することは、さらに、前記ｅＣＣＥに関する設定の候補とシステム配置との予め定められた対応関係に基づいて複数の前記ｅＣＣＥに関する設定の候補から選択された前記ｅＣＣＥに関する設定に応じて前記ｅＣＣＥを復調することを含み、
前記ｅＣＣＥに関する設定は、一つのＰＲＢペアにマッピングされる複数のｅＰＤＣＣＨの間で、各々のｅＰＤＣＣＨに含まれるｅＣＣＥの数が互いに異なることを許容する、通信方法。
【請求項１３】
上記通信方法は、上記ｅＣＣＥからＰＲＢペアへのマッピング方式を指示する情報を受信し、且つ上記マッピング方式に基づいてｅＰＤＣＣＨを受信することをさらに含む請求項１２に記載の通信方法。
【請求項１４】
複数の候補リソースエレメントを確定するステップは、上記複数の候補リソースエレメントから上記参照信号により占有されたリソースエレメントを排除することを含む請求項１２又は１３に記載の通信方法。
【請求項１５】
機器読み取り可能なプログラムコードを含み、情報処理機で上記プログラムコードを実行する場合に、処理機に請求項９〜１１と１２〜１４の何れか一項に記載の方法を実行させることができる不揮発性のコンピュータ読み取り可能な記憶媒体。
【発明の詳細な説明】
【技術分野】
【０００１】
本開示は、無線通信分野に係り、具体的に、例えば、ユニバーサル移動体通信システム（ＵＭＴＳ）のロング・ターム・エボリューションの進化エボリューション（ＬＴＥ−Ａ）における通信方法、通信デバイス及びこの通信デバイスを含む無線通信システムに係る。
【背景技術】
【０００２】
ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，  ＵＭＴＳ）技術のロング・ターム・エボリューション（Ｌｏｎｇ  Ｔｅｒｍ  Ｅｖｏｌｕｔｉｏｎ，  ＬＴＥ）は、第３世代パートナーシップ・プロジェクトが近年に開始した最大の新技術の研究開発プロジェクトである。この技術は、「準４Ｇ技術」と見なすことができる。ＬＴＥ−Ａ（ＬＴＥ−Ａｄｖａｎｃｅｄ）は、  ＬＴＥのフォローアップエボリューションであり、３ＧＰＰは、  ２００８年にＬＴＥ−Ａの技術的要求のレポートを完成し、ＬＴＥ−Ａの最小限の要求を提案し、即ち、下りリンクピークレートｌＧｂｐｓ、上りリンクピークレート５００Ｍｂｐｓ、上り下りリンクピークスペクトル利用効率がそれぞれ１５Ｍｂｐｓ／Ｈｚ、３０Ｍｂｐｓ／Ｈｚに達した。４Ｇ技術の様々なニーズ指標を満たすために、３ＧＰＰは、キャリアアグリゲーション、協調マルチポイント送受信、中継伝送、マルチアンテナ増強等を含む、ＬＴＥ−Ａに対する幾つかの重要な技術を提案している。
【０００３】
物理下りリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）は下りリンク制御情報（Ｄｏｗｎｌｉｎｋ  Ｃｏｎｔｒｏｌ  Ｉｎｆｏｒｍａｔｉｏｎ，ＤＣＩ）をロードし、一つ又は複数のユーザー機器（Ｕｓｅｒ  Ｅｑｕｉｐｍｅｎｔ，ＵＥ）上のリソース割当情報及びその他の制御情報を含む。ＬＴＥにおいて、上り下りリンクリソーススケジューリング情報がＰＤＣＣＨによってロードされる。一般的に、一つのサブフレーム内に、複数のＰＤＣＣＨを含むことができる。ユーザーは、先ず、ＰＤＣＣＨにおけるＤＣＩを復調する必要があって、その後対応するリソース位置のユーザー自身に属する物理下りリンク共有チャネル（Ｐｈｙｓｉｃａｌ  Ｄｏｗｎｌｉｎｋ  Ｓｈａｒｅ  Ｃｈａｎｎｅｌ、ＰＤＳＣＨ：ブロードキャストメッセージ、ページング、ＵＥのデータを含む）を復調することができる。
【０００４】
現在、ＬＴＥ−Ａにおけるキャリアアグリゲーション、協調マルチポイント送受信、中継伝送、マルチアンテナ増強等の重要な技術のスケジューリングニーズに対して、３ＧＰＰ標準化において、強化物理下りリンク制御チャネル（Ｅｎｈａｎｃｅｄ  ＰＤＣＣＨ，ｅＰＤＣＣＨ）が提案されて、制御情報の容量を増大させ、ビームフォーミング、ダイバーシティ、セル間干渉の削除等の技術をサポートできる。前のバージョン１０（例えばＲ１０）のＰＤＣＣＨと共存する必要があることに鑑みて、ｅＰＤＣＣＨが前のＰＤＣＣＨの領域を占めず、ＰＤＳＣＨとデータフィールドのリソースを共有する。これに基づいて、ｅＰＤＣＣＨの構成を再設計する必要がある。
【発明の概要】
【発明が解決しようとする課題】
【０００５】
以上の問題について、本開示の幾つかの実施例は、通信方法、デバイス及びシステムを提供し、なお、採用した強化物理下りリンク制御チャネル（ｅＰＤＣＣＨ）の構成方案は、下りリンクリソースに対する有効利用を実現し、伝送性能を高め、Ｒ１０（３ＧＰＰ  Ｒｅｌｅａｓｅ  １０）におけるＰＤＣＣＨを良く両立できる。
【課題を解決するための手段】
【０００６】
以下では、本開示に関する簡単な概説を説明して、本開示のある方面の基本的理解を提供する。この概説が本開示に関する取り尽くし的概説ではないと理解すべきである。それは、本開示の肝心又は重要部分を意図的確定することではなく、本開示の範囲を意図的に限定することでもない。目的は、簡素化の形式で、ある概念を提供して、後論述するより詳しい技術の前述とすることである。
【０００７】
本開示の一方面によれば、無線通信システムに用いられる通信方法を提供する。当該通信方法は、通信システムにおける基地局により上記通信システムのカレントのシステム構成に基づいて強化物理下りリンク制御チャネルにおける強化制御チャネルエレメント構成のタイプを確定し、なお、上記強化制御チャネルエレメント構成は、各強化制御チャネルエレメントにおけるリソースエレメントの個数及び各物理リソースブロックペアにおける強化制御チャネルエレメントの個数を含み、且つ、上記強化制御チャネルエレメント構成は、通信システムの異なるシステム構成にそれぞれ対応する複数のタイプに分類され、及び、確定された強化制御チャネルエレメント構成のタイプに関する情報を上記通信システムにおける端末ノードに通知することを含む。
【０００８】
本開示の他の方面によれば、無線通信システムに用いられる通信方法をさらに提供する。当該通信方法は、通信システムにおける端末ノードにより基地局からの強化制御チャネルエレメント構成のタイプに関する情報を受信し、上記強化制御チャネルエレメント構成は、各強化制御チャネルエレメントにおけるリソースエレメントの個数及び各物理リソースブロックペアにおける強化制御チャネルエレメントの個数を含み、且つ上記強化制御チャネルエレメント構成は、通信システムの異なるシステム構成にそれぞれ対応する複数のタイプに分類され、上記強化制御チャネルエレメント構成のタイプに基づいて強化制御チャネルエレメントの復調を行うことを含む。
【０００９】
本開示の他の方面によれば、無線通信システムに用いられる通信デバイスをさらに提供する。当該通信デバイスは、通信システムの基地局に配置され、且つ、上記通信システムのカレントのシステム構成に基づいて強化物理下りリンク制御チャネルにおける強化制御チャネルエレメント構成のタイプを確定するための構成タイプ確定装置と、確定された強化制御チャネルエレメント構成のタイプに関する情報を上記通信システムにおける端末ノードに通知するための送信装置とを含み、上記強化制御チャネルエレメント構成は、各強化制御チャネルエレメントにおけるリソースエレメントの個数及び各物理リソースブロックペアにおける強化制御チャネルエレメントの個数を含み、且つ、上記強化制御チャネルエレメント構成は、通信システムの異なるシステム構成にそれぞれ対応する複数のタイプに分類される。
【００１０】
本開示の他の方面によれば、無線通信システムに用いられる通信デバイスをさらに提供する。当該通信デバイスは、通信システムの端末ノードに配置され、且つ、基地局からの強化制御チャネルエレメント構成のタイプに関する情報を受信するための受信装置と、上記強化制御チャネルエレメント構成のタイプに基づいて強化制御チャネルエレメントの復調を行う処理装置とを含み、上記強化制御チャネルエレメント構成は、各強化制御チャネルエレメントにおけるリソースエレメントの個数及び各物理リソースブロックペアにおける強化制御チャネルエレメントの個数を含み、上記強化制御チャネルエレメント構成は、通信システムの異なるシステム構成にそれぞれ対応する複数のタイプに分類される。
【００１１】
本開示の他の方面によれば、無線通信システムに用いられる通信方法をさらに提供し、当該方法は、通信システムにおける基地局により、上記通信システムのカレントのシステム構成に基づいて強化物理下りリンク制御チャネルにおける強化制御チャネルエレメント構成のタイプを確定し、なお、上記強化制御チャネルエレメント構成は、各強化制御チャネルエレメントにおけるリソースエレメントの個数及び各物理リソースブロックペアにおける強化制御チャネルエレメントの個数を含み、且つ上記強化制御チャネルエレメント構成は、通信システムの異なるシステム構成にそれぞれ対応する複数のタイプに分類され、上記基地局により、確定された強化制御チャネルエレメント構成のタイプに関する情報を上記通信システムにおける端末ノードに通知し、上記端末ノードにより、上記基地局からの強化制御チャネルエレメント構成のタイプに関する情報を受信し、上記端末ノードにより、上記強化制御チャネルエレメント構成のタイプに基づいて強化制御チャネルエレメントの復調を行うことを含む。
【００１２】
本開示の他の方面によれば、無線通信システムをさらに提供し、当該システムは、基地局と端末ノードを含む。上記基地局は、上記通信システムのカレントのシステム構成に基づいて強化物理下りリンク制御チャネルにおける強化制御チャネルエレメント構成のタイプを確定するための構成タイプ確定装置と、確定された強化制御チャネルエレメント構成のタイプに関する情報を上記通信システムにおける端末ノードに通知するための送信装置とを含み、上記強化制御チャネルエレメント構成は、各強化制御チャネルエレメントにおけるリソースエレメントの個数及び各物理リソースブロックペアにおける強化制御チャネルエレメントの個数を含み、上記強化制御チャネルエレメント構成は、通信システムの異なるシステム構成にそれぞれに対応する複数のタイプに分類される。上記端末ノードは、上記基地局からの強化制御チャネルエレメント構成のタイプに関する情報を受信するための受信装置と、上記強化制御チャネルエレメント構成のタイプに基づいて強化制御チャネルエレメントの復調を行うための処理装置とを含む。
【００１３】
また、本開示は、上記方法を実現するためのコンピュータプログラムをさらに提供する。
【００１４】
なお、本開示はさらに少なくともコンピュータ読み取り可能な媒体形式のコンピュータプログラム製品を提供し、その中に上記方法を実現するためのコンピュータプログラムコードが記録されている。
【図面の簡単な説明】
【００１５】
以下の図面に基づいた本開示の実施例の説明を参照することにより、本開示の以上と他の目的、特徴と長所をより容易に理解するだろう。図面における部材は、比例して描画するものではなく、本開示の原理を示すためのものである。図面で、同じ或いは類似の技術特徴或いは部材は同じ或いは類似の符号で示す。
【００１６】
【図１】本開示の一実施例に基づく無線通信システムに用いられる通信方法の模式的フローチャートである。
【００１７】
【図２】カレントシステムの構成に適合する強化制御チャネルエレメント（ｅＣＣＥ）構成を動的に選択する通信方法の一つの具体的例示の模式的フローチャートである。
【００１８】
【図３】本開示の一実施例に基づく無線通信システムに用いられる通信方法の模式的フローチャートである。
【００１９】
【図４】端末ノードがｅＣＣＥ構成情報を受信する一つの具体的例示の模式的フローチャートである。
【００２０】
【図５】一つの物理リソースブロックが一種のシステム構成でのリソースに対する占有状況の一つの例示を示す模式図である。
【００２１】
【図６】本開示の他の一実施例に基づく通信方法の模式的フローチャートである。
【００２２】
【図７】（Ａ）−（Ｄ）はｅＣＣＥマッピング方式の一つの具体的例示を示す模式図である。
【００２３】
【図８】一つの実施例に基づく無線システムに用いられる通信デバイスの構造を示す模式的ブロック図である。
【００２４】
【図９】他の一つの実施例に基づく無線システムに用いられる通信デバイスの構造を示す模式的ブロック図である。
【発明を実施するための形態】
【００２５】
以下、図面を参照し、本開示の実施例を説明する。本開示の一つの図面或いは実施形態で記述する要素と特徴は、一つ或いは複数の他の図面或いは実施形態で示した要素と特徴と組み合わせることができる。注意すべきことは、明らかにするために、図面と説明で本開示と関係ない、当業者が既知の部材と処理の表示と記述を省略した。
【００２６】
本開示の幾つかの実施例は、無線通信システムにおける通信方法、デバイス及びこの方法を採用する又はこのデバイスを使用する通信システムを提供し、なお、採用された強化物理下りリンク制御チャネルの構成方案（例えば強化制御チャネルエレメントのサイズ及び／又は強化制御チャネルエレメントがリソースブロックでの多重化方式及び／又は空白のリソースエレメント（Ｒｅｓｏｕｒｃｅ  Ｅｌｅｍｅｎｔ，ＲＥ）のマッピング復調方案等）は、下りリンクリソースに対する有効利用を実現し、伝送性能を高め、Ｒ１０におけるＰＤＣＣＨを良く両立できる。
【００２７】
図１  は、本開示の一実施例に基づく無線通信システムに用いられる通信方法のフローチャートを示している。図１に示す方法は、通信システムにおける基地局側で実施される。
【００２８】
図１に示すように、当該方法は、ステップ１０２と１０４を含む。
【００２９】
ステップ１０２において、通信システムにおける基地局は、当該通信システムのカレントのシステム構成に基づいてｅＰＤＣＣＨにおける強化制御チャネルエレメント（ｅｎｈａｎｃｅｄ  Ｃｏｎｔｒｏｌ  Ｃｈａｎｎｅｌ  Ｅｌｅｍｅｎｔ，ｅＣＣＥ）構成のタイプを確定する。
【００３０】
一つのｅＰＤＣＣＨは、一つ又は複数のｅＣＣＥをロードできる。ｅＣＣＥのサイズ即ち、ｅＣＣＥにおけるリソースエレメント（例えばＲｅｓｏｕｒｃｅ  Ｅｌｅｍｅｎｔ，ＲＥ）の個数は、ｅＰＤＣＣＨの容量、サーチスペースの設置及びリンクレベルの性能等を直接に影響する。従って、ｅＣＣＥのサイズは、ｅＰＤＣＣＨ構成の一つの重要な指標である。本実施例において、上記したｅＰＤＣＣＨにおけるｅＣＣＥ構成は、各ｅＣＣＥのサイズ（即ち、各ｅＣＣＥにおけるリソースエレメントの個数）および各物理リソースブロックペア（Ｐｈｙｓｉｃａｌ  Ｒｅｓｏｕｒｃｅ  Ｂｌｏｃｋ  ｐａｉｒ  ，ＰＲＢ  ｐａｉｒ）におけるｅＣＣＥの個数等を含むことができる。
【００３１】
本実施例において、ｅＰＤＣＣＨにおけるｅＣＣＥ構成は、通信システムの異なるシステム構成にそれぞれ対応する複数のタイプに分類される。言い換えれば、通信システムの様々なシステム構成は、様々なタイプに分類されることができ、対応するように、それに対応する異なるタイプのｅＰＤＣＣＨにおけるｅＣＣＥ構成を定義でき、即ち、各システム構成が相応タイプのｅＣＣＥ構成に対応できる。このように、基地局は、通信システムのカレントのシステム構成に基づいて、対応するタイプのｅＣＣＥ構成を動的に選択することができる（ステップ１０２）。
【００３２】
その後、ステップ１０４において、基地局は、確定された強化制御チャネルエレメント構成のタイプに関する情報を、通信システムにおける端末ノードに通知する。
【００３３】
本開示において、上記した端末ノードは、通信システムにおけるユーザーノードＵＥ、例えば携帯端末等を指すことに注意されたい。
【００３４】
基地局は、任意の適当な方式を採用して、上記した、確定された強化制御チャネル構成のタイプに関する情報を送信することができる。一つの例示として、従来の物理下りリンク制御チャネルシグナリング（例えばＲ１０におけるｌｅｇａｃｙ  ＰＤＣＣＨ  ｓｉｇｎａｌｉｎｇ（従来のＰＤＣＣＨシグナリング））の拡張を採用して上記情報を送信し、即ち、上記情報を拡張した物理下りリンク制御チャネルシグナリングにカプセル化し端末ノードに送信することができる。この方式は、元のＲ１０バージョンを両立させ、元の制御リソースを利用することができる。他の例示として、また、一つの強化物理下りリンク制御チャネルシグナリング（ｅＰＤＣＣＨ  ｓｉｇｎａｌｉｎｇ）を定義して、上記情報を新しく定義した物理下りリンク制御チャネルシグナリングにカプセル化し端末ノードに送信することもできる。この方式は、簡単で実現可能であり、新しいシグナリングを増加するだけでよく、多少の空白のリソースを占めるだけで実現できる。また他の例示として、一つの強化物理制御フォーマット指示チャネルシグナリング（ｅｎｈａｎｃｅｄ  Ｐｈｙｓｉｃａｌ  Ｃｏｎｔｒｏｌ  Ｆｏｒｍａｔ  Ｉｎｄｉｃａｔｉｏｎ  Ｃｈａｎｎｅｌ  ｓｉｇｎａｌｉｎｇ  ，ｅＰＣＦＩＣＨ  ｓｉｇｎａｌｉｎｇ）を定義して、上記情報を新しく定義したｅＰＣＦＩＣＨシグナリングにカプセル化し端末ノードに送信することができる。この方式は、ｅＰＤＣＣＨと前のＰＤＣＣＨを良く区別し、使用上の混乱を避けることができる。理解すべきことは、任意の適当なフォーマットで上記強化物理下りリンク制御チャネルシグナリング及び強化物理制御フォーマット指示チャネルシグナリングを定義してもよく、本開示は何れかの具体的フォーマットに限定されず、ここで詳しく記述しない。
【００３５】
上記通信方法において、ｅＰＤＣＣＨにおけるｅＣＣＥ構成は、通信システムの異なるタイプのシステム構成にそれぞれ対応する複数のタイプに分類され、基地局は、通信システムのカレントのシステム構成に基づいてそれに対応するｅＣＣＥ構成を選択することができる。このように、リソースの浪費を低減でき（即ち、「空白ＲＥ」の数を減らす）、ｅＰＤＣＣＨのリンクアダプテーション性能を改善し可能なシグナリング伝送オーバーヘッドを減らすことができる。
【００３６】
例示として、通信システムのシステム構成は、物理下りリンク制御チャネルにてロードされる直交周波数分割多重（ＯＦＤＭ）シンボルの個数と参照信号ポートの個数等の情報を含むことができる。ＰＤＣＣＨにてロードされるＯＦＤＭシンボルの個数及び参照信号ポートの個数は、いずれもｅＰＤＣＣＨの使用可能なＲＥの個数を影響する。従って、これらの構成情報に基づいて強化制御チャネルエレメント構成のタイプを確定できる。一つの具体的例示として、ステップ１０２において、基地局は、一つの物理リソースブロックペアのうち強化物理下りリンク制御チャネルのロードに使用可能なリソースエレメントの個数（又は一つの物理リソースブロックペアのうち強化物理下りリンク制御チャネルのロードに使用可能なリソースエレメントの個数及び参照信号ポートの個数）に基づいて強化制御チャネルエレメント構成のタイプを確定することができる。
【００３７】
図５は、一つのＰＲＢペアが一種のシステム構成での占有状況を示し、なお、一つのブロックが一つのＲＥを代表する。ＰＤＣＣＨが二つのＯＦＤＭシンボルを占有し、共通参照信号ＣＲＳが４ポートを採用し、復調参照信号ＤＭＲＳが４ポートを採用し、残った空白のＲＥがｅＣＣＥのロードに使用可能である。
【００３８】
表１は、復調参照信号ＤＭＲＳが４ポートを採用するように設定され、ＰＤＣＣＨが異なる個数のＯＦＤＭシンボルを占有し、及びＣＲＳが異なるポート数を採用する異なるシステム構成での一つのＰＲＢペアのうち使用可能なＲＥの個数の例示を示している：
【表１】
0006399143.tif 000002
【００３９】
表２は、復調参照信号ＤＭＲＳが２ポートを採用するように設定され、ＰＤＣＣＨが異なる個数のＯＦＤＭシンボルを占有し、及びＣＲＳが異なるポート数を採用する異なるシステム構成での一つのＰＲＢペアのうち使用可能ＲＥの個数の例示を示している：
【表２】
0006399143.tif 000003
【００４０】
一つの具体的例示として、ＰＤＣＣＨにてロードされるＯＦＤＭシンボルの個数と参照信号ポートの個数に基づいて、上記強化制御チャネルエレメント構成は、対応する４つのタイプに分類されてもよい。この場合に、基地局は、カレントのシステム構成に対応するｅＣＣＥ構成のタイプを確定した後に、当該タイプに関する情報を一つの２ビットのシグナリング（第１のシグナリングと称する）によって、当該第１のシグナリングを端末ノードに送信する。ここで、上記のように、当該第１のシグナリングは、既存の物理下りリンク制御チャネルシグナリングの拡張であってもよく、又は、新しく定義した強化物理下りリンク制御チャネルシグナリング或いは強化物理制御フォーマット指示チャネルシグナリングであってもよく、ここで詳しく記述しない。
【００４１】
以下では表１のシステム構成に基づいてｅＣＣＥ構成を確定する一つの具体的例を記述する。具体的に、強化物理下りリンク制御チャネルのロードに使用可能なリソースエレメントの個数に基づいて、ｅＰＤＣＣＨにおけるｅＣＣＥ構成を以下の４つの種類に分けることができる：
タイプ１：強化物理下りリンク制御チャネルのロードに使用可能なリソースエレメントの個数が１４４〜１２８間である場合に、各ｅＣＣＥに３２個のＲＥを含み、且つ各物理リソースブロックペアで４つのｅＣＣＥをロードすることができる。
タイプ２：強化物理下りリンク制御チャネルのロードに使用可能なリソースエレメントの個数が１２６〜１２０間である場合に、各ｅＣＣＥに３０個のＲＥを含み、且つ各物理リソースブロックペアで４つのｅＣＣＥをロードすることができる。
タイプ３：強化物理下りリンク制御チャネルのロードに使用可能なリソースエレメントの個数が１１４〜１０８間である場合に、各ｅＣＣＥに３６個のＲＥを含み、且つ各物理リソースブロックペアで三つのｅＣＣＥをロードすることができる。
タイプ４：強化物理下りリンク制御チャネルのロードに使用可能なリソースエレメントの個数が１０４〜９２間である場合に、各ｅＣＣＥに３０個のＲＥを含み、且つ各物理リソースブロックペアで三つのｅＣＣＥをロードすることができる。
【００４２】
以下では表２のシステム構成に基づいてｅＣＣＥ構成を確定する他の具体的な例示を記述する。具体的に、強化物理下りリンク制御チャネルのロードに使用可能なリソースエレメントの個数に基づいて、ｅＰＤＣＣＨにおけるｅＣＣＥ構成を以下の４つの種類に分けることができる：
タイプ５：強化物理下りリンク制御チャネルのロードに使用可能なリソースエレメントの個数が１３６〜１５２間である場合に、各ｅＣＣＥに３４個のＲＥを含み、且つ各物理リソースブロックペアで４つのｅＣＣＥをロードすることができる。
タイプ６：強化物理下りリンク制御チャネルのロードに使用可能なリソースエレメントの個数が１２８〜１３４間である場合に、各ｅＣＣＥに３２個のＲＥを含み、且つ各物理リソースブロックペアで４つのｅＣＣＥをロードすることができる。
タイプ７：強化物理下りリンク制御チャネルのロードに使用可能なリソースエレメントの個数が１１６〜１２２間である場合に、各ｅＣＣＥに３８個のＲＥを含み、且つ各物理リソースブロックペアで三つのｅＣＣＥをロードすることができる。
タイプ８：強化物理下りリンク制御チャネルのロードに使用可能なリソースエレメントの個数が１００〜１１２間である場合に、各ｅＣＣＥに３３個のＲＥを含み、  且つ各物理リソースブロックペアで三つのｅＣＣＥをロードすることができる。
【００４３】
表３、４は、それぞれ、表１、表２のシステム構成に基づいてｅＣＣＥ構成を確定する上記４つのタイプのうち使用可能なＲＥの個数とｅＣＣＥのサイズ及びｅＣＣＥの個数との対応関係を示している。
【表３】
0006399143.tif 000004
【表４】
0006399143.tif 000005
【００４４】
図２は、表３に示す４つのタイプのｅＣＣＥ構成によりカレントのシステム構成に適応するｅＣＣＥ構成を動的に選択する通信方法の一つの具体的例示を示している。ステップ２０２−１において、強化物理下りリンク制御チャネルのロードに使用可能なリソースエレメントの個数が１４４〜１２８の間であるか否かを判断し、ＹＥＳであると、ステップ２０２−２において上記タイプ１のｅＣＣＥ構成を選択し、さもなければ、処理がステップ２０２−３に進む。ステップ２０２−３において、強化物理下りリンク制御チャネルのロードに使用可能なリソースエレメントの個数が１２６〜１２０の間であるか否かを判断し、ＹＥＳであると、ステップ２０２−４において上記タイプ２のｅＣＣＥ構成を選択し、さもなければ、処理がステップ２０２−５に進む。ステップ２０２−５において、強化物理下りリンク制御チャネルのロードに使用可能なリソースエレメントの個数が１１４〜１０８の間であるか否かを判断し、ＹＥＳであると、ステップ２０２−６において上記タイプ３のｅＣＣＥ構成を選択し、さもなければ、ステップ２０２−７において上記タイプ４のｅＣＣＥ構成を選択する。その後、ステップ２０４−１において、選択されたｅＣＣＥ構成に関するタイプ情報を一つの２ｂｉｔのシグナリングにカプセル化し（具体的な例示として、当該シグナリングにおいて、００がタイプ１を示し、０１がタイプ２を示し、１０がタイプ３を示し、１１がタイプ４を示す等して、ここで詳しく記述しない）、ステップ２０４−２において、端末ノードに当該シグナリングを送信する。
【００４５】
ＰＤＣＣＨにおいて一つの制御チャネルエレメント（ＣＣＥ）のサイズが３６である（即ち、ＰＤＣＣＨにおいて、一つのＣＣＥが３６個のＲＥを含む）ので、ＰＤＣＣＨとの両立を考えると、ｅＰＤＣＣＨにおいて、一つのｅＣＣＥにおけるＲＥの個数を３０〜３８で（例えば３０、３２、３６又は３８）変化させることができる。このように各ｅＣＣＥでロードする下りリンク制御情報（ＤＣＩ）が少なくも多くもないように保証する。以上の具体的例において、ｅＣＣＥ構成が４つの種類に分けられ、この方法を採用して、下りリンクリソースの浪費率が低くなる（演算すると、約４％程度であり、ｅＣＣＥ構成を二つの種類に分ける場合のリソース浪費率が１０％程度である）。一方、分類の数が多いほど、リソース浪費率が低くなるが、分類の数の増加に伴って、リソースの利用率のゲインが非常に小さくなるので、ｅＣＣＥ構成のタイプが多すぎると、ｅＰＤＣＣＨのｅＣＣＥアグリゲーションによるリンクアダプテーションの過程が複雑になり、且つ基地局が端末ノードにカレントのｅＣＣＥ構成に関する情報を通知する必要がある時に要するシグナリングオーバーヘッドもｅＣＣＥ構成タイプの増加に伴って多くなる。上記の実施例において、４つのタイプのｅＣＣＥ構成を採用したので、第１のシグナリングが２ビットだけでよい。従って、図３に示す通信方法を採用して、リソース浪費率とシグナリングオーバーヘッドとの間でバランスをよく取られる。
【００４６】
具体的実施例として、異なるシステム構成とｅＣＣＥ構成タイプとの対応関係は、予め基地局に記憶されておいてもよい（例えば基地局の記憶装置に記憶される）。基地局は、カレントのシステム構成を得る時に、記憶した対応関係に基づいて対応するｅＣＣＥ構成を確定し、そのタイプに関する情報を端末ノードに送信してもよい。ｅＣＣＥ構成の様々なタイプに関する情報は、予め端末ノードに記憶されておいてもよい（例えば端末ノードの記憶装置に記憶される）。端末ノードは、基地局からのｅＣＣＥ構成のタイプに関する情報を得た後に、そのタイプに基づいて記憶した情報に当該タイプに対応する情報を照会する。
【００４７】
図３は、図１に示す方法に対応する、端末ノード側で強化制御チャネルエレメント構成情報を受信する通信方法の模式的フローチャートを示している。図３に示すように、当該方法は、ステップ３０２と３０４を含むことができる。
【００４８】
ステップ３０２において、端末ノードは、基地局からの、強化制御チャネルエレメント構成のタイプに関する情報を受信する。
【００４９】
上記に記述した実施例と類似し、ここで記述する強化制御チャネルエレメント構成は、各強化制御チャネルエレメントのうちリソースエレメントの個数、及び各物理リソースブロックペアのうち強化制御チャネルエレメントの個数等を含む。また、上記強化制御チャネルエレメント構成は、通信システムの異なるシステム構成にそれぞれ対応する複数のタイプに分類される。ここで詳しく記述しない。
【００５０】
ステップ３０４において、端末ノードは、上記強化制御チャネルエレメント構成のタイプに基づいて強化制御チャネルエレメントの復調を行う。具体的に、端末ノードは、基地局からの、ｅＣＣＥ構成のタイプに関する情報を得た後に、そのタイプに基づいて、予めに記憶された多種のｅＣＣＥ構成に関する情報から当該タイプに対応する構成情報を照会し、当該構成情報に基づいてｅＣＣＥの復調を行うことができる。
【００５１】
一つの具体的例示として、ｅＣＣＥ構成は、４つの種類に分けてもよく、例えば、上記の表３又は表４に示した４つのタイプである。このように、基地局は、２ビットのシグナリング（例えば第１のシグナリング）によりカレントのシステム構成に対応するｅＣＣＥ構成のタイプを指示するための情報を送信してもよい（例えば図２のステップ２０４−１と２０４−２に示すように）。相応的に、ステップ３０２において、端末ノードは、２ビットにカプセル化した強化制御チャネルエレメント構成タイプを指示するためのシグナリング（例えば第１のシグナリング）を受信することにより関連情報を取得してもよい。
【００５２】
一つの例示として、端末ノードは、物理制御フォーマット指示チャネル（Ｐｈｙｓｉｃａｌ  ｃｏｎｔｒｏｌ  ｆｏｒｍａｔ  ｉｎｄｉｃａｔｉｏｎ  ｃｈａｎｎｅｌ，ＰＣＦＩＣＨ）によりｅＣＣＥ構成タイプに関する情報を取得してもよい。この方法は、元のＲ１０バージョンのチャネル特徴を継承しそれと良く両立することができ、その他のシグナリング情報を新しく追加する必要がなく、一方、端末の演算が複雑ではない。ＰＣＦＩＣＨとは、ＰＤＣＣＨの占有するＯＦＤＭシンボルの個数を特に指示するための物理フォーマット指示チャネルを指す。ＰＣＦＩＣＨは、各サブフレームの一番目のＯＦＤＭシンボルに配置され、サイズが２ｂｉｔであって、実際に各サブフレームにおいて制御シグナリング領域とデータ領域との境界を区分した。図４は、ＰＣＦＩＣＨによりｅＣＣＥ  構成情報を受信する一つの具体的例示を示している。図４に示すように、ステップ４０２−１において、端末ノードは、物理制御フォーマット指示チャネル情報を受信する。具体的に、端末ノードは、ＰＣＦＩＣＨ情報を復調することによりカレントのシステム構成においてＰＤＣＣＨ伝送が占有するＯＦＤＭシンボルの個数を取得する。その後、ステップ４０２−２において、当該物理制御フォーマット指示チャネル情報に基づいて強化物理下りリンク制御チャネルのロードに使用可能なリソースエレメントの個数を算出する。具体的に、端末ノードは、上記ＰＣＦＩＣＨ情報を利用してシステム情報によりＣＲＳポート数を取得してから現在ｅＰＤＣＣＨのロードに使用可能なＲＥの個数を算出することができる。ステップ４０２−３において、端末ノードは、予めに記憶した強化制御チャネルエレメント構成テーブル（例えば表２に示す情報）を照会することによりｅＣＣＥ構成のタイプを取得する。
【００５３】
上記では無線通信システムに用いられる通信方法を記述し、異なるシステム構成に基づいてそれに対応するｅＣＣＥ構成タイプを動的に確定し、各種のタイプのｅＣＣＥ構成において対応するｅＣＣＥサイズ等の情報を定義した。図６は、本開示の他の実施例に基づく通信方法を示し、なお、基地局は、さらに、物理リソースブロックペアにおける強化制御チャネルエレメントのマッピング方式を確定する。
【００５４】
具体的に、図６に示すように、ステップ６０６において、基地局は、物理リソースブロックペアにおける強化制御チャネルエレメントのマッピング方式を確定する。確定したマッピング方式において、各物理リソースブロックペアにおける複数の強化チャネル制御エレメントが対角（ｄｉａｇｏｎａｌ）配列の方式で連続的に当該物理リソースブロックペアの複数のリソースエレメントにマッピングするようにする。対角配列方式とは、各ＰＲＢペアにおいて、同一のｅＣＣＥを対角配列で使用可能なＲＥに連続的、集中的（ｌｏｃａｌｉｚｅｄ）にマッピングすることである。このように、実際の操作でマッピングルールを簡単にし、実際のマッピングアルゴリズムをより容易に実現させる。そして、上記対角配列のマッピング方式は、実際に時分割多重化と周波数分割多重化を組み合せた多重化方法を採用して複数のｅＣＣＥを一つのＰＲＢペア中に多重化し、時分割多重化の方式を採用して符号化遅延を低減でき、周波数分割多重化の方式を採用してパワーバランスを実現でき、両者の組み合わせの方式を採用して、時分割多重化と周波数分割多重化の上記メリットを統合することができる。
【００５５】
図７（Ａ）〜（Ｄ）はそれぞれ異なるタイプのｅＣＣＥ構成で対角配列の方式で連続的にｅＣＣＥをマッピングする模式図を示す。なお、図７（Ａ）は、タイプ１のｅＣＣＥ構成を採用した場合のマッピングの例を示し、図７（Ｂ）は、タイプ２のｅＣＣＥ構成を採用した場合のマッピングの例を示し、図７（Ｃ）は、タイプ３のｅＣＣＥ構成を採用した場合のマッピングの例を示し、図７（Ｄ）は、タイプ４のｅＣＣＥ構成を採用した場合のマッピングの例を示している。そして、ステップ６０８において、基地局は、マッピング方式に関する情報を端末ノードに通知する。注意すべきことは、上記ステップ６０８はオプションである。一般的に、基地局は、端末ノードにマッピング方式に関する情報を送信する必要がなく、予め端末ノードと各種のタイプのｅＣＣＥ構成での使用するマッピング方式を合意すればよい。端末ノードは、基地局からｅＣＣＥ構成のタイプに関する情報を得た後に、当該タイプに対応する、予め合意したマッピング方式に基づいて復調することができる。
【００５６】
具体的例示として、各物理リソースブロックペアにおける複数の強化チャネル制御エレメントが対角配列の方式で連続的に当該物理リソースブロックペアの複数のリソースエレメントにマッピングされた場合に、端末ノードは、対角配列の方式に従って物理リソースブロックペアにおける複数のリソースエレメントを連続に復調して各強化チャネル制御エレメントを取得することができる。
【００５７】
例示として、物理リソースブロックペアのうち占有されていないリソースエレメントが各強化チャネル制御エレメントの後に均一にマッピングされる。この場合、端末ノードは、各強化チャネル制御エレメントに対する復調を完了した後に、占有されていないリソースエレメントを空けて復調しない。
【００５８】
以下、空白ＲＥのマッピング及び復調の一つの具体的例示を記述する。
【００５９】
まず、基地局は、カレントのシステム構成を取得し、且つカレントのシステム構成に基づいてｅＰＤＣＣＨ伝送に使用可能なＲＥ個数Ｎを算出して得る。カレントのシステム構成に対応するタイプのｅＣＣＥ構成で、各ｅＣＣＥのサイズがｎであって且つ各ペアＰＲＢでロードするｅＣＣＥの個数がｘであるとすると、基地局は、以下の式（１）により各ｅＣＣＥのマッピング後に空ける必要があるＲＥの個数Ｙを算出する：
【数１】
0006399143.tif 000006
【００６０】
以上の式において、符号「
【数２】
0006399143.tif 000007
」は切り捨てて整数を取ることを示し、整除できると、各ｅＣＣＥの後の空白ＲＥの個数が等しく、さもなければ、最後に余分のＲＥを最後の一つのｅＣＣＥの後にマッピングする。
【００６１】
その後、基地局は、算出して得られたＹの数値により、ｎ個のＲＥのｅＰＤＣＣＨ情報をマッピングするたびに、Ｙ個のＲＥを空ける。一般的に、基地局は、予め端末ノードとマッピングパターンに関する情報を合意してもよい。基地局は、マッピングパターンに関する情報を端末ノードに送信してもよい。
【００６２】
相応的に、端末ノード側において、端末ノードは、カレントのシステム構成でのｅＣＣＥ  構成情報を取得する（例えば上記の方法を採用し、ここで重複しない）。具体的に、各ｅＣＣＥのサイズｎと各ＰＲＢペアでロードされるｅＣＣＥの個数ｘを取得する。
【００６３】
次に、端末ノードは、各ｅＣＣＥの復調後に空ける必要があるＲＥの個数Ｙを取得する。一つの例として、基地局でシグナリングによりＹを端末ノードに通知してもよい。他の例として、端末ノードは、以下の式（２）を採用してＹを算出して得てもよい。
【００６４】
端末ノードは、システムシグナリングと元の制御チャネル情報を復調することによりカレントのシステム構成を取得し、カレントのシステム構成（例えば表１）に基づいてｅＰＤＣＣＨ伝送に使用可能なＲＥの個数Ｎを取得してもよい。
【００６５】
その後、端末ノードは、以下の式（２）により各ｅＣＣＥの復調後に空ける必要があるＲＥの個数Ｙを算出する：
【数３】
0006399143.tif 000008
【００６６】
算出して得たＹの値に基づいて、端末ノードは、ｎ個のＲＥのｅＰＤＣＣＨ情報を復調するたびにＹ個のＲＥを空けて復調しない。
【００６７】
他の例示として、物理リソースブロックペアのうち占有されていないリソースエレメントは、各強化チャネル制御エレメントの前に均一にマッピングされる。この場合、端末ノードは、各強化チャネル制御エレメントを復調する前に、占有されていないリソースエレメントをスキップして復調しない。具体的ステップは上記の例と類似し、ここで重複しない。
【００６８】
一つの具体的例示として、基地局は、強化物理下りリンク制御チャネルの占有されていないリソースエレメント（空白ＲＥ）を利用してカレントのシステム構成に対応するｅＣＣＥ構成のタイプを指示するための情報を含むシグナリング（例えば第１のシグナリング）を端末ノードに送信してもよい。例えば、上記の例示において物理リソースブロックペアのうち占有されていないリソースエレメントは各強化チャネル制御エレメントの前に均一にマッピングされ、この場合、ｅＣＣＥの前に位置する空白ＲＥにより第１のシグナリングをロードしてもよい。端末ノードは、まず、第１のシグナリングを復調してから、ｅＣＣＥを復調する。又は、第１のシグナリングは他の空白ＲＥに配置され、端末ノードは基地局の送信したマッピングパターンに関する情報を受信し（又は予め基地局と合意したマッピングパターンの情報に基づいて）、当該情報に基づいて、まず第１のシグナリングを復調して取得してから、ｅＣＣＥを復調する。空白ＲＥによりカレントのシステム構成に対応するｅＣＣＥ構成のタイプを指示するための情報のシグナリングをロードし、新しいリソースを占有する必要がなく、元の浪費する可能性があるリソースを良く利用できる。
【００６９】
一つの具体的な実施例として、各物理リソースブロックペアのうち複数の強化チャネル制御エレメントが対角配列の方式で当該物理リソースブロックペアのうち複数のリソースエレメントに連続的にマッピングされる方案において、強化物理下りリンク制御チャネルは、集中の方式で一つの物理リソースブロックペアにマッピングされてもよく、又は分布の方式で複数の物理リソースブロックペアにマッピングされてもよい。相応的に、上記集中の方式で、端末ノードは、一つの物理リソースブロックペアに対して強化制御チャネルエレメントの復調を集中的に行って一つの強化物理下りリンク制御チャネルを取得することができる。上記の分布の方式で、端末ノードは、複数の物理リソースブロックペアに対して強化制御エレメントの復調を行って一つの強化物理下りリンク制御チャネルを取得することができる。
【００７０】
下文では、幾つかの実施例に基づく無線通信システムに用いられる通信デバイスを記述する。
【００７１】
図８は、一実施例に基づく無線通信システムに用いられる通信デバイスの構成の模式的ブロック図を示している。当該通信デバイス８００は、通信システムの基地局に配置されることができる。
【００７２】
図８に示すように、当該通信デバイス８００は、構成タイプ確定装置  ８０１と送信装置８０３を含むことができる。
【００７３】
通信デバイス８００は、上記で図１−７を参照して記述した方法を採用することができる。例えば、構成タイプ確定装置８０１は、通信システムのカレントシステム構成に基づいて強化物理下りリンク制御チャネルにおける強化制御チャネルエレメント構成のタイプを確定することができる。
【００７４】
上記のように、上記強化制御チャネルエレメント構成は、各強化制御チャネルエレメントにおけるリソースエレメントの個数及び各物理リソースブロックペアにおける強化制御チャネルエレメントの個数等を含むことができ、上記強化制御チャネルエレメント構成は、通信システムの異なるシステム構成にそれぞれ対応する複数のタイプ等に分類される。具体的例示として、上記システム構成は、物理下りリンク制御チャネルにてロードされる直交周波数分割多重シンボルの個数と参照信号ポートの個数を含むことができる。構成タイプ確定装置８０１は、一つの物理リソースブロックペアにおける強化物理下りリンク制御チャネルのロードに使用可能なリソースエレメントの個数に基づいて強化制御チャネルエレメント構成のタイプを確定することができる。
【００７５】
具体的例示として、上記強化制御チャネルエレメント構成は、通信システムの異なるシステム構成にそれぞれ対応する４つのタイプに分類されてもよい。例えば、上記表３又は表４を参照して記述した４つのタイプであり、ここで重複しない。
【００７６】
送信装置８０３は、確定装置８０１により確定された強化制御チャネルエレメント構成のタイプに関する情報を通信システムにおける端末ノードに通知するためのものである。一つの具体的例示として、例えば、上記強化制御チャネルエレメント構成が通信システムの異なるシステム構成にそれぞれ対応する４つのタイプに分類されると、送信装置８０３は、上記の確定された強化制御チャネルエレメント構成のタイプに関する情報を２ビットのシグナリング（例えば第１のシグナリング）にカプセル化し、当該第１のシグナリングを端末ノードに送信してもよい。上記のように、第１のシグナリングは、既存のＰＤＣＣＨシグナリングの拡張であってもよく、ｅＰＤＣＣＨシグナリング或いはｅＰＣＦＩＣＨシグナリングを採用してもよい。例えば、第１のシグナリングは、ｅＰＤＣＣＨの空白ＲＥにより伝送してもよく、ここで重複しない。
【００７７】
デバイス８００は、マッピング方式確定装置８０５をさらに含んでもよい。マッピング方式確定装置８０５は、上記で図６−７を参照して記述した方法を採用して物理リソースブロックペアにおける強化制御チャネルエレメントのマッピング方式を確定することができる。例えば、物理リソースブロックペアにおける複数の強化チャネル制御エレメントは、対角配列の方式で当該物理リソースブロックペアにおける複数のリソースエレメントに連続的にマッピングされ（図７に示すように）、また、例えば、物理リソースブロックペアのうち占有されていないリソースエレメントが各強化チャネル制御エレメントの後に均一にマッピングされ、ここで重複しない。
【００７８】
送信装置８０３は、マッピング方式に関する情報を端末ノードに送信することができる。送信装置８０３は、任意の適当な方式を用いて当該情報を送信することができ、ここで詳しく記述しない。
【００７９】
図９は、一実施例に基づく無線通信システムに用いられる通信デバイスの構成を示している。当該通信デバイス９００は、通信システムの端末ノードに配置される。
【００８０】
図９に示すように、通信デバイス９００は、受信装置９０１と処理装置９０３を含む。
【００８１】
例えば、通信デバイス９００は、上記で図１−７を参照して記述した方法を採用できる。具体的に、受信装置９０１は、基地局からの強化制御チャネルエレメント構成のタイプに関する情報を受信することができる。上記のように、強化制御チャネルエレメント構成は、各強化制御チャネルエレメントにおけるリソースエレメントの個数及び物理リソースブロックペアにおける強化制御チャネルエレメントの個数等を含むことができ、強化制御チャネルエレメント構成は、通信システムの異なるシステム構成にそれぞれ対応する複数のタイプに分類され、ここで重複しない。
【００８２】
処理装置９０３は、上記強化制御チャネルエレメント構成のタイプに基づいて強化制御チャネルエレメント復調を行うためのものである。具体的に、基地局からのｅＣＣＥ構成のタイプに関する情報を取得した後に、処理装置９０３は、そのタイプに基づいて、予め記憶した多種のｅＣＣＥ構成に関する情報から当該タイプに対応する構成情報を照会し、当該構成情報に基づいてｅＣＣＥの復調を行ってもよい。
【００８３】
具体的例示として、制御チャネルエレメント構成は、４つのタイプに分類されてもよい（例えば、上記表３又は表４に示すように、ＤＭＲＳが４つのポートを採用する場合に、タイプ１−４に分け、又は、ＤＭＲＳが二つのポートを採用する場合に、タイプ５−８に分ける）。この場合、強化制御チャネルエレメント構成のタイプを指示するための情報が基地局により２ビットのシグナリング（例えば第１のシグナリング）にカプセル化されると、受信装置９０１は、当該第１のシグナリングを受信でき、処理装置９０３により当該第１のシグナリングを解析することにより、上記した強化制御チャネルエレメント構成のタイプを指示するための情報を取得し、強化制御チャネルエレメント復調を行うことができる。
【００８４】
一つの例として、端末ノードは、物理制御フォーマット指示チャネル（Ｐｈｙｓｉｃａｌ  ｃｏｎｔｒｏｌ  ｆｏｒｍａｔ  ｉｎｄｉｃａｔｉｏｎ  ｃｈａｎｎｅｌ，ＰＣＦＩＣＨ）によりｅＣＣＥ構成タイプに関する情報を取得してもよい。受信装置９０１は、物理制御フォーマット指示チャネル情報を受信することができる。処理装置９０３は、当該物理制御フォーマット指示チャネル情報に基づいて強化物理下りリンク制御チャネルのロードに使用可能なリソースエレメントの個数を算出し、予め記憶した強化制御チャネルエレメント構成テーブルを照会して上記強化制御チャネルエレメント構成のタイプを取得することができる。
【００８５】
具体的実施例として、さらに、受信装置９０１は、基地局からの物理リソースブロックペアにおける強化制御チャネルエレメントのマッピング方式に関する情報を受信してもよい。
【００８６】
具体的例示として、各物理リソースブロックペアにおける複数の強化チャネル制御エレメントが対角配列の方式で当該物理リソースブロックペアの複数のリソースエレメントに連続的にマッピングされた場合に、処理装置９０３は、対角配列の方式に従って物理リソースブロックペアにおける複数のリソースエレメントを連続的に復調して各強化チャネル制御エレメントを取得することができる。
【００８７】
例示として、物理リソースブロックペアのうち占有されていないリソースエレメントは、各強化チャネル制御エレメントの後に均一にマッピングされることができる。この場合、処理装置９０３は、各強化チャネル制御エレメントに対する復調を完了した後に、占有されていないリソースエレメントを空けて復調しない。他の一つの例示として、物理リソースブロックペアのうち占有されていないリソースエレメントは、各強化チャネル制御エレメントの前に均一にマッピングされることができる。この場合、処理装置９０３は、各強化チャネル制御エレメントを復調する前に、占有されていないリソースエレメントをスキップして復調しない。
【００８８】
一つの具体的実施例として、強化物理下りリンク制御チャネルは、集中の方式で一つの物理リソースブロックペアにマッピングされてもよく、又は分布の方式で複数の物理リソースブロックペアにマッピングされてもよい。相応的に、上記集中の方式において、処理装置  ９０３は、一つの物理リソースブロックペアに対して強化制御チャネルエレメントの復調を集中的に行って一つの強化物理下りリンク制御チャネルを取得することができる。上記分布の方式において、処理装置９０３は、複数の物理リソースブロックペアに対して強化制御エレメントの復調を行って一つの強化物理下りリンク制御チャネルを取得することができる。
【００８９】
一つの実施例として、さらに、無線通信システムを提供し、当該システムは、基地局と端末ノード含み、上記基地局は、以上のように記述した、基地局側に配置される通信デバイス（例えば８００）を含み、上記端末ノードは、以上のように記述した、端末ノード側に配置される通信デバイス（例えば９００）を含む。
【００９０】
理解すべきことは、上記実施例と例示は、例示的であり、取り尽くし的ではなく、本開示は、いかなる具体的実施例又は例示に限定されると見なすべきではない。また、上記実施例と例示において、数字符号で方法のステップ又はデバイスのモジュールを示した。当業者は、これらの数字符号がこれらのステップ又はモジュールを文字的に区分するためであり、その順又はいかなる他の限定を示すものではないことを理解すべきである。
【００９１】
一つの例示として、上記方法の各ステップ及び上記デバイスの各構成モジュール及び／又は装置は、ソフトウェア、ファームウェア、ハードウェア又はその組み合わせで実現されてもよい。上記装置における各構成部品、エレメント、サブエレメントは、ソフトウェア、ハードウェア又はその組み合わせの方式で配置されてもよい。配置に使用可能な具体的手段又は方式は、当業者によく知られているので、ここで重複しない。
【００９２】
本開示は、さらに機器読み取り可能な指令コードが記憶されたプログラム製品を提出する。上記指令コードが機器に読み取られて実行される場合、上記の本開示実施例に基づく通信方法を実行できる。
【００９３】
相応的に、上記の機器読み取り可能な指令コードが記憶されたプログラム製品がロードされる記憶媒体も本開示の開示に含まれる。上記記憶媒体はフロッピーディスク、光ディスク、光磁気ディスク、メモリカード、メモリスティック等を含むがこれに限定されない。
【００９４】
以上の本開示の具体的実施例に対する記述で、一つの実施形態で記述及び／又は示した特徴は同じ或いは類似の方式で一つ或いは複数の他の実施形態で使用され、他の実施形態における特徴と組み合わせるか他の実施形態における特徴を替わる。
【００９５】
強調すべきことは、用語「包括／含む」を本文で使用する際は、特徴、要素、ステップ又は部品の存在を指し、一つ又は複数の他の特徴、要素、ステップ又は部品の存在又は付加を排除しない。
【００９６】
また、本開示の方法は、明細書で記述した時間順序に従って実行されることに限定されず、他の時間順序に従って、並行又は独立に実行されてもよい。よって、本明細書で記述の方法の実行順序は本開示の技術範囲を限定しない。
【００９７】
以上で、本開示の具体的実施例の記述によって本開示を説明したが、理解すべきことは、当業者は、請求項の精神と範囲内で本開示に対する各種の修正、改善、又は均等物を設計できる。これらの修正、改善、或いは均等物も本開示の保護範囲に含まれると認めるべきである。
【図１】
0006399143.tif 000009
【図２】
0006399143.tif 000010
【図３】
0006399143.tif 000011
【図４】
0006399143.tif 000012
【図５】
0006399143.tif 000013
【図６】
0006399143.tif 000014
【図７】
0006399143.tif 000015
【図８】
0006399143.tif 000016
【図９】
0006399143.tif 000017